(57)【要約】【課題】樹脂製ボンネットの側面部の強度を向上させて樹脂成形後の変形を抑制する。【解決手段】機体前部に構成されるエンジンルーム６の少なくとも上方及び左右側方を覆うとともに、少なくとも下方及び後方が開口した樹脂製のボンネット７を備えるトラクタであって、ボンネット７は、エンジンルーム６の上方を覆う上面部７ｂと、エンジンルーム６の左右側方を覆う左右の側面部７ｃと、を備え、側面部７ｃには、前後方向に沿う凹部７ｉが形成されている【選択図】図５
2018095186.tif 000002
【特許請求の範囲】
【請求項１】
機体前部に構成されるエンジンルームの少なくとも上方及び左右側方を覆うとともに、少なくとも下方及び後方が開口した樹脂製のボンネットを備えるトラクタであって、
前記ボンネットは、
前記エンジンルームの上方を覆う上面部と、
前記エンジンルームの左右側方を覆う左右の側面部と、を備え、
前記側面部には、前後方向に沿う凹部が形成されていることを特徴とするトラクタ。
【請求項２】
前記側面部の少なくとも前端側には、前後方向に沿う上側凸部と、前後方向に沿う前記凹部と、前後方向に沿う下側凸部と、が上下方向に並列するように形成されていることを特徴とする請求項１に記載のトラクタ。
【請求項３】
前記ボンネットは、
左右の前記側面部の前端部上側同士及び前記上面部の前端部を連結する上側連結部と、
左右の前記側面部の前端部下側同士を連結する下側連結部と、を備え、
前記上側連結部にヘッドライトが設けられ、
前記上側連結部と前記下側連結部との間に冷却風の吸入口が形成されることを特徴とする請求項１又は２に記載のトラクタ。
【請求項４】
前記側面部は、後側下部にサイドカバーを配置するための切欠き部を有し、前記切欠き部の前方側に形成される前記凹部の上下幅を、前記切欠き部の上方側に形成される前記凹部の上下幅よりも大きくしたことを特徴とする請求項１〜３のいずれか一項に記載のトラクタ。
【発明の詳細な説明】
【技術分野】
【０００１】
本発明は、エンジンルームを覆う樹脂製のボンネットを備えたトラクタに関する。
【背景技術】
【０００２】
機体前部に構成されるエンジンルームの少なくとも上方及び左右側方を覆うとともに、少なくとも下方及び後方が開口した樹脂製（例えば、ＦＲＰ）のボンネットを備えるトラクタが知られている（例えば、特許文献１参照）。
【先行技術文献】
【特許文献】
【０００３】
【特許文献１】特開２００７−７６５３７号公報
【発明の概要】
【発明が解決しようとする課題】
【０００４】
しかしながら、図７に示すように、この種のボンネット１００は、Ｃ−Ｃ断面視において冂字形状を有するため、樹脂成形後の変形により、左右側面部１０１の下端側が外側方に開きやすく、所望の形状を維持できない虞があった。
【課題を解決するための手段】
【０００５】
本発明は、上記の如き実情に鑑みこれらの課題を解決することを目的として創作されたものであって、請求項１の発明は、機体前部に構成されるエンジンルームの少なくとも上方及び左右側方を覆うとともに、少なくとも下方及び後方が開口した樹脂製のボンネットを備えるトラクタであって、前記ボンネットは、前記エンジンルームの上方を覆う上面部と、前記エンジンルームの左右側方を覆う左右の側面部と、を備え、前記側面部には、前後方向に沿う凹部が形成されていることを特徴とする。
また、請求項２の発明は、請求項１に記載のトラクタであって、前記側面部の少なくとも前端側には、前後方向に沿う上側凸部と、前後方向に沿う前記凹部と、前後方向に沿う下側凸部と、が上下方向に並列するように形成されていることを特徴とする。
また、請求項３の発明は、請求項１又は２に記載のトラクタであって、前記ボンネットは、左右の前記側面部の前端部上側同士及び前記上面部の前端部を連結する上側連結部と、左右の前記側面部の前端部下側同士を連結する下側連結部と、を備え、前記上側連結部にヘッドライトが設けられ、前記上側連結部と前記下側連結部との間に冷却風の吸入口が形成されることを特徴とする。
また、請求項４の発明は、請求項１〜３のいずれか一項に記載のトラクタであって、前記側面部は、後側下部にサイドカバーを配置するための切欠き部を有し、前記切欠き部の前方側に形成される前記凹部の上下幅を、前記切欠き部の上方側に形成される前記凹部の上下幅よりも大きくしたことを特徴とする。
【発明の効果】
【０００６】
請求項１の本発明によれば、ボンネットの側面部には、前後方向に沿う凹部が形成されているので、側面部の強度を向上させて樹脂成形後の変形を抑制できる。しかも、凹部は、エンジンルーム内で前後方向に沿う凸部を形成するので、エンジンルーム内に吸入されるエンジン冷却風の流れを促し、エンジンの冷却効率も高めることができる。
また、請求項２の発明によれば、側面部の少なくとも前端側には、前後方向に沿う上側凸部と、前後方向に沿う凹部と、前後方向に沿う下側凸部と、が上下方向に並列するように形成されているので、側面部の前端側の強度を向上させることができる。
また、請求項３の本発明によれば、ボンネットの前面側が上側連結部及び下側連結部で強固に構成されるので、左右の側面部の開き方向の変形をより確実に抑制できるだけでなく、上側連結部及び下側連結部を利用してヘッドライトの取付部や冷却風の吸入口を構成することができる。
また、請求項４の本発明によれば、ボンネットの側面部は、後側下部にサイドカバーを配置するための切欠き部を有し、切欠き部の前方側に形成される凹部の上下幅を、切欠き部の上方側に形成される凹部の上下幅よりも大きくしたので、上下寸法が大きく、広がり方向に変形しやすい側面部の前側では、凹部の上下幅を大きくすることで強度アップが図れる一方、エンジン冷却風を効率良く排出したい側面部の後側では、凹部の上下幅を小さくすることで凹部のエンジンルーム内への突出面積を抑制できる。
【図面の簡単な説明】
【０００７】
【図１】本発明の実施形態に係るトラクタの側面図である。
【図２】本発明の実施形態に係るトラクタの機体前部を示す斜視図である。
【図３】図１のＡ−Ａ断面図である。
【図４】本発明の実施形態に係るトラクタのエンジンルームを示す斜視図である。
【図５】本発明の実施形態に係るトラクタのボンネットを示す斜視図である。
【図６】本発明の実施形態に係るトラクタのボンネットを示す図であり、（ａ）はボンネットの平面図、（ｂ）はボンネットの正面図、（ｃ）はボンネットの側面図、（ｄ）はボンネットのＢ−Ｂ断面図である。
【図７】従来例に係るトラクタのボンネットを示す図であり、（ａ）はボンネットの概略側面図、（ｂ）はボンネットのＣ−Ｃ断面図である。
【発明を実施するための形態】
【０００８】
以下、本発明の実施の形態について、図面に基づいて説明する。図１において、１はクローラトラクタＴの走行機体であって、該走行機体１は、機体前部に設けられ、エンジンＥ（図３及び図４参照）が搭載されるエンジン搭載部２と、機体中間部に設けられ、作業者が乗車する運転部３と、機体後部に設けられ、各種の作業機（図示せず）を連結可能な作業機連結部４と、機体下部に設けられるクローラ式の走行部５と、を備える。
【０００９】
図１〜図４に示すように、エンジン搭載部２には、エンジンＥを収容するエンジンルーム６が構成されるとともに、エンジンルーム６の上方、前方及び左右側方を開閉自在に覆う樹脂製（例えば、ＦＲＰ）のボンネット７と、エンジンルーム６の後側左右側方を覆う左右のサイドカバー８と、が設けられている。
【００１０】
エンジンＥの前面部には、冷却ファン９が設けられ、該冷却ファン９の回転駆動に応じて、機体前方からボンネット７の前面に形成される吸入口７ａを介してエンジンルーム６内にエンジン冷却風が導入される。導入されたエンジン冷却風は、エンジンＥの前方に立設されるラジエータ１０を通過することで、ラジエータ１０内を流れるエンジン冷却水を冷却するとともに、エンジンＥの周囲を通ってエンジンルーム６の下方やサイドカバー８に形成される排出口８ａから機外に排出される。
【００１１】
図５及び図６に示すように、ボンネット７は、エンジンルーム６の上方を覆う上面部７ｂと、エンジンルーム６の左右側方を覆う左右の側面部７ｃと、左右の側面部７ｃの前端部上側同士及び上面部７ｂの前端部を連結する上側連結部７ｄと、左右の側面部７ｃの前端部下側同士を連結する下側連結部７ｅと、を備え、上側連結部７ｄにヘッドライト１１が設けられ、上側連結部７ｄと下側連結部７ｅとの間にエンジン冷却風の吸入口７ａが形成される。
【００１２】
上側連結部７ｄは、ヘッドライト１１が取り付けられる左右のヘッドライト取付部７ｆと、各ヘッドライト取付部７ｆの上方に設けられ、ヘッドライト１１よりも前方に延設される左右のひさし部７ｇと、左右のヘッドライト取付部７ｆ間に形成される凹部７ｈと、を備える。
【００１３】
ひさし部７ｇは、ボンネット７上の雨水がヘッドライト１１に直接流れ落ちたり、積雪でヘッドライト１１が埋まってしまうことを防止するだけでなく、直射日光がヘッドライト１１に当たることを抑制するサンバイザーとしても機能する。また、左右のひさし部７ｇは、正面視で機体の左右中心側に向かって傾斜するとともに、凹部７ｈに繋がっている。これにより、ひさし部７ｇ上の雨水を凹部７ｈに誘導し、左右のヘッドライト取付部７ｆ間を通ってボンネット７の前方に排出することができる。
【００１４】
吸入口７ａは、通気性を有するパンチングスクリーンなどのスクリーン部材１２で覆われている。スクリーン部材１２は、下側よりも上側が前方に位置する前傾姿勢で吸入口７ａを覆っている。このようにすると、スクリーン部材１２を後傾させた場合に比べ、スクリーン部材１２からの雨水、汚れなどの侵入やスクリーン部材１２に対する積雪を抑制することができる。
【００１５】
ボンネット７の左右の側面部７ｃには、前後方向に沿う凹部７ｉが形成されている。凹部７ｉは、ボンネット７の側面部７ｃの強度を向上させることにより、樹脂成形後におけるボンネット７の開き方向の変形を抑制することができる。また、凹部７ｉは、エンジンルーム６内で前後方向に沿う凸部を形成するので、エンジンルーム６内に吸入されるエンジン冷却風の流れを促し、エンジンＥの冷却効率も高めることができる。
【００１６】
また、ボンネット７の側面部７ｃに前後方向に沿って凹部７ｉを形成した場合、凹部７ｉの底面を基準にすると、側面部７ｃにおける凹部７ｉの上側に前後方向に沿う上側凸部７ｊが形成され、側面部７ｃにおける凹部７ｉの下側に前後方向に沿う下側凸部７ｋが形成される。そして、側面部７ｃの少なくとも前端側では、前後方向に沿う上側凸部７ｊと、前後方向に沿う凹部７ｉと、前後方向に沿う下側凸部７ｋと、が上下方向に並列するように形成されているので、側面部７ｃの前端側の強度を向上させることができるだけでなく、それに伴って上側連結部７ｄや下側連結部７ｅの上下幅を小さくし、吸入口７ａの開口面積を増大させることが可能になる。
【００１７】
また、ボンネット７の側面部７ｃは、後側下部に前述したサイドカバー８を配置するための切欠き部７ｍを有する。そして、凹部７ｉは、切欠き部７ｍの前方側における上下幅が、切欠き部７ｍの上方側における上下幅よりも大きく。これにより、上下寸法が大きく、広がり方向に変形しやすい側面部７ｃの前側では、凹部７ｉの上下幅を大きくすることで強度アップが図れる一方、エンジン冷却風を効率良く排出したい側面部７ｃの後側では、凹部７ｉの上下幅を小さくすることで凹部７ｉのエンジンルーム６内への突出面積を抑制できる。
【００１８】
叙述の如く構成された本実施形態のクローラトラクタＴによれば、ボンネット７の側面部７ｃには、前後方向に沿う凹部７ｉが形成されているので、側面部７ｃの強度を向上させて樹脂成形後の変形を抑制できる。しかも、凹部７ｉは、エンジンルーム６内で前後方向に沿う凸部を形成するので、エンジンルーム６内に吸入されるエンジン冷却風の流れを促し、エンジンＥの冷却効率も高めることができる。
【００１９】
また、ボンネット７の前面側は、上側連結部７ｄ及び下側連結部７ｅで強固に構成されるので、左右の側面部７ｃの開き方向の変形をより確実に抑制できるだけでなく、上側連結部７ｄ及び下側連結部７ｅを利用してヘッドライト１１の取付部や冷却風の吸入口７ａを構成することができる。
【００２０】
また、側面部７ｃの少なくとも前端側には、前後方向に沿う上側凸部７ｊと、前後方向に沿う凹部７ｉと、前後方向に沿う下側凸部７ｋと、が上下方向に並列するように形成されているので、側面部７ｃの前端側の強度を向上させることができるだけでなく、それに伴って上側連結部７ｄや下側連結部７ｅの上下幅を小さくすることを可能にし、吸入口７ａの開口面積を増大させることができる。
【００２１】
また、ボンネット７の側面部７ｃは、後側下部にサイドカバー８を配置するための切欠き部７ｍを有し、切欠き部７ｍの前方側に形成される凹部７ｉの上下幅を、切欠き部７ｍの上方側に形成される凹部７ｉの上下幅よりも大きくしたので、上下寸法が大きく、広がり方向に変形しやすい側面部７ｃの前側では、凹部７ｉの上下幅を大きくすることで強度アップが図れる一方、エンジン冷却風を効率良く排出したい側面部７ｃの後側では、凹部７ｉの上下幅を小さくすることで凹部７ｉのエンジンルーム６内への突出面積を抑制できる。
【符号の説明】
【００２２】
１  走行機体
２  エンジン搭載部
６  エンジンルーム
７  ボンネット
７ａ  吸入口
７ｂ  上面部
７ｃ  側面部
７ｄ  上側連結部
７ｅ  下側連結部
７ｆ  ヘッドライト取付部
７ｇ  ひさし部
７ｉ  凹部
７ｊ  上側凸部
７ｋ  下側凸部
７ｍ  切欠き部
８  サイドカバー
１１  ヘッドライト
１２  スクリーン部材
【図１】
2018095186.tif 000003
【図２】
2018095186.tif 000004
【図３】
2018095186.tif 000005
【図４】
2018095186.tif 000006
【図５】
2018095186.tif 000007
【図６】
2018095186.tif 000008
【図７】
2018095186.tif 000009